(57)【要約】【課題】省資源を図ることができる蓄電池用包装体を提供する。【解決手段】長手方向に相対する左右の側面と該左右の側面に対して直角な方向に相対する前後の側面と上面及び底面との６つの外面を有する蓄電池Ｂａｔの前後の側面をそれぞれ覆う前後の側面カバー板部１１及び１２と、上面を覆う上面カバー板部１３とを必要不可欠なカバー板部として有し、蓄電池の左右の側面を覆うカバー板部及び底面を覆うカバー板部を省略したカバー本体１４と、側面カバー板部１１及び１２を蓄電池に固定する締結バンド１５とにより包装体１０を構成した。【選択図】    図３
2008198550.tif 000002
【特許請求の範囲】
【請求項１】
長手方向に相対する左右の側面と該左右の側面に対して直角な方向に相対する前後の側面と上面及び底面との６つの外面を有する蓄電池を覆う複数のカバー板部を、板状の包装材を折曲げることにより一体に形成してなる蓄電池包装体であって、
前記蓄電池の６つの外面のうち、前後の側面をそれぞれ覆う前後の側面カバー板部と、上面を覆う上面カバー板部とを必要不可欠なカバー板部として有し、前記蓄電池の左右の側面の少なくとも一方を覆うカバー板部及び底面を覆うカバー板部が省略されていることを特徴とする蓄電池包装体。
【請求項２】
長手方向に相対する左右の側面と該左右の側面に対して直角な方向に相対する前後の側面と上面及び底面との６つの外面を有する蓄電池を覆う複数のカバー板部を、板状の包装材を折曲げることにより一体に形成してなる蓄電池包装体であって、
前記蓄電池の前後の側面をそれぞれ覆う前後の側面カバー板部と、上面を覆う上面カバー板部とからなっていて、前記蓄電池の左右の側面を覆うカバー板部及び底面を覆うカバー板部が省略されたカバー本体と、
前記蓄電池の４つの側面を取巻く状態で配置されて前記蓄電池の前後の側面を覆うカバー板部を前記蓄電池に対して固定する締結バンドと、
を具備してなる蓄電池包装体。
【請求項３】
前記蓄電池の前後の側面をそれぞれ覆う前後の側面カバー板部の少なくとも一方の横方向の一端及び（または）他端に、前記締結バンドを嵌合させて位置決めする溝が形成されている請求項２に記載の蓄電池包装体。
【請求項４】
前記蓄電池の前後の側面をそれぞれ覆う前後の側面カバー板部の少なくとも一方の横方向の一端及び（または）他端の前記締結バンドが配置される部分に、前記蓄電池の高さ方向に並ぶ一対の切込みが形成され、前記締結バンドを締付けた際に前記一対の切込みの間の部分が前記締結バンドにより変形させられて該締結バンドを嵌合させる溝が形成されるように構成されている請求項２に記載の蓄電池包装体。
【請求項５】
前記上面カバー板部には前記蓄電池の上部に取りつけられた把手部を外部に引出すための開口部または該開口部を形成するための切込みが形成されている請求項１ないし４のいずれか一つに記載の蓄電池包装体。
【請求項６】
長手方向に相対する左右の側面と該左右の側面に対して直角な方向に相対する前後の側面と上面及び底面との６つの外面を有し、上部に把手部が取付けられた蓄電池を覆う複数のカバー板部を、板状の包装材を折曲げることにより一体に形成してなる蓄電池包装体であって、
前記蓄電池の前後の側面をそれぞれ覆う前後の側面カバー板部と、上面を覆う上面カバー板部とからなるカバー本体と、前記蓄電池の４つの側面を取巻く状態で配置されて前記蓄電池の側面を覆うカバー板部を前記蓄電池に対して固定する締結バンドとからなり、
前記上面カバー板部には前記把手部を外部に引出すための開口部または該開口部を形成するための切込みが形成され、
前記前後の側面カバー板のそれぞれの横方向の両端に、前記締結バンドを嵌合させて位置決めする溝が形成されていることを特徴とする蓄電池包装体。
【請求項７】
長手方向に相対する左右の側面と該左右の側面に対して直角な方向に相対する前後の側面と上面及び底面との６つの外面を有し、上部に把手部が取付けられた蓄電池を覆う複数のカバー板部を、板状の包装材を折曲げることにより一体に形成してなる蓄電池包装体であって、
前記蓄電池の前後の側面をそれぞれ覆う前後の側面カバー板部と、上面を覆う上面カバー板部とからなるカバー本体と、前記蓄電池の４つの側面を取巻く状態で配置されて前記蓄電池の側面を覆うカバー板部を前記蓄電池に対して固定する締結バンドとからなり、
前記上面カバー板部には前記把手部を外部に引出すための開口部または該開口部を形成するための切込みが形成され、
前記蓄電池の前後の側面をそれぞれ覆う前後の側面カバー板のそれぞれの横方向の両端の前記締結バンドが配置される部分に、前記蓄電池の高さ方向に並ぶ一対の切込みが形成され、
前記締結バンドを締付けた際に前記一対の切込みの間の部分が前記締結バンドにより変形させられて該締結バンドを嵌合させる溝が形成されるように構成されている蓄電池包装体。
【発明の詳細な説明】
【技術分野】
【０００１】
本発明は、鉛蓄電池などの蓄電池を包装する包装体に関するものである。
【背景技術】
【０００２】
鉛蓄電池等の蓄電池は、電槽内に極板群と電解液とからなる発電要素を収容することにより構成される。電槽としては、通常直方体状に構成されたものが用いられる。従来、この種の蓄電池を包装する包装体としては、蓄電池の長手方向（セルの並設方向）に相対する左右の側面と該左右の側面に対して直角な方向に相対する前後の側面と上面及び底面との６つの外面をそれぞれ覆うカバー板部を備えた直方体状の段ボール箱が用いられていた。
【０００３】
蓄電池は、自動車のエンジンルーム内などの厳しい環境に設置されるため、電槽としては、十分に堅牢なものが用いられている。そのため、蓄電池の包装体は簡易なもので十分であり、蓄電池の６つの外面のすべてを覆う段ボール箱は包装としては過剰なものであった。そこで、特許文献１に示されているように、底板を省略した蓄電池用の包装体が提案されている。
【特許文献１】特開２００４−８７４１４号公報
【発明の開示】
【発明が解決しようとする課題】
【０００４】
特許文献１に示された包装体では、底板が省略されているため、包装体を構成する材料を節約することができ、省資源を図ることができる。また特許文献１に示された包装体は、蓄電池の上面と４つの側面とを覆うように構成されるため、ある程度の保護機能を果すことができる。しかしながら、最近、省資源化を更に進めるために、保護機能を犠牲にしてでも、蓄電池の包装を更に簡易にすることが望まれるようになった。特に一般消費者向けに市販される蓄電池の包装は、電池の仕様や製造メーカー名などを表示する機能を有していれば十分である。
【０００５】
本発明の目的は、既提案の包装体よりも更に省資源を図ることができる蓄電池用包装体を提供することにある。
【課題を解決するための手段】
【０００６】
本発明は、長手方向に相対する左右の側面と該左右の側面に対して直角な方向に相対する前後の側面と上面及び底面との６つの外面を有する蓄電池を覆う複数のカバー板部を、板状の包装材を折曲げることにより一体に形成してなる蓄電池包装体を対象とする。
【０００７】
本発明に係わる蓄電池用包装体においては、蓄電池の６つの外面のうち、前後の側面をそれぞれ覆う前後の側面カバー板部と、上面を覆う上面カバー板部とが必要不可欠なカバー板部として設けられ、蓄電池の左右の側面の少なくとも一方を覆うカバー板部及び底面を覆うカバー板部が省略される。
【０００８】
上記のように構成すると、蓄電池の底面を覆うカバー板部が省略されるだけでなく、蓄電池の左右の側面の少なくとも一方を覆うカバー板部も省略されるため、蓄電池の底面を覆うカバー板部のみを省略するとした既提案の発明による場合に比べて、更に少ない材料で包装体を構成して省資源を図ることができる。
【０００９】
本発明の他の態様では、包装体が、蓄電池の前後の側面をそれぞれ覆う前後の側面カバー板部と、上面を覆う上面カバー板部とからなっていて、蓄電池の左右の側面を覆うカバー板部及び底面を覆うカバー板部が省略されたカバー本体と、蓄電池の４つの側面を取巻く状態で配置されて蓄電池の前後の側面を覆うカバー板部を蓄電池に対して固定する締結バンドとにより構成される。
【００１０】
上記のように構成すると、蓄電池の底面を覆うカバー板部だけでなく、左右の両側面を覆うカバー板部をも省略することができるため、省資源化と、包装された蓄電池の軽量化とを図ることができる。また前後の側面をそれぞれ覆うカバー板部を締結バンドで蓄電池に固定するので、包装体を蓄電池に容易に固定することができる。
【００１１】
本発明の他の態様では、蓄電池の前後の側面をそれぞれ覆う前後の側面カバー板部の少なくとも一方の横方向の一端及び（または）他端に、締結バンドを嵌合させて位置決めする溝が形成される。
【００１２】
上記のように、前後の側面カバー板部の少なくとも一方の横方向の一端及び（または）他端に、締結バンドを嵌合させて位置決めする溝を設けておくと、締結バンドの取付けを容易にすることができるだけでなく、取りつけられた締結バンドが包装した蓄電池の運搬中に外れるのを防ぐことができる。
【００１３】
本発明の他の態様では、蓄電池の前後の側面をそれぞれ覆う前後の側面カバー板部の少なくとも一方の横方向の一端及び（または）他端の締結バンドが配置される部分に、蓄電池の高さ方向に並ぶ一対の切込みが形成され、締結バンドを締付けた際に一対の切込みの間の部分が締結バンドにより変形させられて該締結バンドを嵌合させる溝が形成されるように構成されている。
【００１４】
上記にように構成した場合にも、締結バンドの取付けを容易にすることができ、また、取りつけられた締結バンドが包装した蓄電池の運搬中に外れるのを防ぐことができる。
【００１５】
本発明の他の好ましい態様では、蓄電池の上部に取りつけられた把手部を外部に引出すための開口部または該開口部を形成するための切込みが上面カバー板部に形成されている。
【００１６】
上記のように、蓄電池の上部に取りつけられた把手部を外部に引出すための開口部または該開口部を形成するための切込みを上面カバー板部に設けておくと、蓄電池を包装した状態で、上面カバー板部の開口部を通して上方に引出した把手部を持って蓄電池を容易に持運ぶことができる。
【００１７】
本発明の好ましい態様では、包装体が、蓄電池の前後の側面をそれぞれ覆う前後の側面カバー板部と、上面を覆う上面カバー板部とからなるカバー本体と、前記蓄電池の４つの側面を取巻く状態で配置されて前記蓄電池の側面を覆うカバー板部を前記蓄電池に対して固定する締結バンドとからなり、上面カバー板部には把手部を外部に引出すための開口部または該開口部を形成するための切込みが形成される。また前後の側面カバー板のそれぞれの横方向の両端に、締結バンドを嵌合させて位置決めする溝が形成されている。
【００１８】
本発明の他の好ましい態様では、包装体が、蓄電池の前後の側面をそれぞれ覆う前後の側面カバー板部と、上面を覆う上面カバー板部とからなるカバー本体と、前記蓄電池の４つの側面を取巻く状態で配置されて前記蓄電池の側面を覆うカバー板部を前記蓄電池に対して固定する締結バンドとからなり、上面カバー板部には把手部を外部に引出すための開口部または該開口部を形成するための切込みが形成される。また、蓄電池の前後の側面をそれぞれ覆う前後の側面カバー板のそれぞれの横方向の両端の前記締結バンドが配置される部分に、蓄電池の高さ方向に並ぶ一対の切込みが形成され、締結バンドを締付けた際に一対の切込みの間の部分が締結バンドにより変形させられて該締結バンドを嵌合させる溝が形成されるように構成されている。
【発明の効果】
【００１９】
本発明によれば、蓄電池の底面を覆うカバー板部が省略されるだけでなく、蓄電池の左右の側面の少なくとも一方を覆うカバー板部も省略されるため、蓄電池の底面を覆うカバー板部のみを省略するとした既提案の発明による場合に比べて、更に少ない材料で包装体を構成して省資源を図ることができる。
【００２０】
また本発明において、蓄電池の前後の側面をそれぞれ覆う前後の側面カバー板部と、上面を覆う上面カバー板部とからなっていて、蓄電池の左右の側面を覆うカバー板部及び底面を覆うカバー板部が省略されたカバー本体と、蓄電池の４つの側面を取巻く状態で配置されて蓄電池の前後の側面を覆うカバー板部を蓄電池に対して固定する締結バンドとにより包装体を構成する場合には、蓄電池の底面を覆うカバー板部だけでなく、左右の両側面を覆うカバー板部をも省略することができるため、省資源化と、包装された蓄電池の軽量化とを図ることができる。また前後の側面をそれぞれ覆うカバー板部を締結バンドで蓄電池に固定するので、包装体を蓄電池に容易に固定することができる。
【００２１】
更に、本発明において、前後の側面カバー板部の少なくとも一方の横方向の一端及び（または）他端に、締結バンドを嵌合させて位置決めする溝を形成するか、または、前後の側面カバー板部の少なくとも一方の横方向の一端及び（または）他端の締結バンドが配置される部分に、蓄電池の高さ方向に並ぶ一対の切込みを形成して、締結バンドを締付けた際に一対の切込みの間の部分が締結バンドにより変形させられて該締結バンドを嵌合させる溝が形成されるようにした場合には、締結バンドの取付けを容易にすることができるだけでなく、取りつけられた締結バンドが包装した蓄電池の運搬中に外れるのを防ぐことができる。
【００２２】
また本発明において、蓄電池の上部に取りつけられた把手部を外部に引出すための開口部または該開口部を形成するための切込みを上面カバー板部に設けた場合には、蓄電池を包装した状態で、上面カバー板部の開口部を通して上方に引出した把手部を持って蓄電池を持運ぶことができるため、包装された蓄電池の持運びを容易にすることができる。
【発明を実施するための最良の形態】
【００２３】
以下図面を参照して本発明の好ましい実施形態を詳細に説明する。
図１は本発明に係わる包装体により包装される蓄電池Ｂａｔの一例を概略的に示したものである。同図において、１は直方体状に形成された電槽、２は電槽１の上端の開口部を閉じる蓋体である。電槽１内には、正極板及び負極板をセパレータを介して積層してなる極板群と電解液とからなる発電要素が収容されている。蓋体２の上面には、正極端子３及び負極端子４が設けられるとともに、電池を持ち運ぶ際に用いる把手部５が取りつけられている。この蓄電池は、全体がほぼ直方体状を呈していて、長手方向に相対する左右の側面Ａ1，Ａ2と該左右の側面に対して直角な方向に相対する前後の側面Ａ3，Ａ4と、上面Ａ5及び底面Ａ6との６つの外面を有している。
【００２４】
図２及び図３は、本実施形態で用いる包装体１０を示している。図示の包装体は、図２に示されているように、蓄電池の前後の側面Ａ3，Ａ4をそれぞれ覆う前後の側面カバー板部１１及び１２と、蓄電池の上面Ａ5を覆う上面カバー板部１３とからなるほぼ逆Ｕ字形のカバー本体１４と、図３に示すように、蓄電池の４つの側面Ａ1〜Ａ4を取巻く状態で配置されて蓄電池の側面を覆うカバー板部１１〜１３を蓄電池に対して固定する締結バンド１５とからなっている。蓄電池の左右の側面及び底面を覆うカバー板部は省略されている。
【００２５】
カバー板部１１〜１３は長方形状の一枚の段ボール板を、隣合うカバー板部間の境界を形成する折曲げ線ａ1，ａ2に沿って折曲げることにより作成される。
【００２６】
上面カバー板部１３には，蓄電池の把手部５を外部に引出すための開口部を形成するための切込み１６が形成され、切込み１６の両側に平行に形成された折曲げ線ｂ1，ｂ2に沿って、切込み１６の両側の部分を折曲げて外側に開くことにより、把手部５を外部に引出すための開口部が形成されるようになっている。また前後の側面カバー板１１及び１２のそれぞれの横方向の両端に、それぞれのカバー板の下端寄りに位置させて，締結バンド１５を嵌合させて位置決めする溝１７が形成されている。
【００２７】
カバー本体１４の側面カバー板部１１，１２及び上面カバー板部１３の少なくとも１つの外面には、蓄電池の仕様、商標、製造メーカー名などが印刷されている。
【００２８】
上記の包装体１０を蓄電池Ｂａｔに取りつける際には、図３に示すように、カバー本体１４を蓄電池に被せて、側面カバー板部１１及び１２をそれぞれ蓄電池の前後の側面Ａ3及びＡ4に添わせるとともに、上面カバー板部１３を蓄電池の上面に添わせる。また切込み１６の両側の部分を折曲げて外側に開くことにより開口部を形成して、この開口部を通して把手部５を上方に引出す。
【００２９】
次いで、締結バンド１５を、蓄電池の四つの角部にそれぞれ設けられた溝１７に嵌合させた状態で、カバー本体１４の外側から蓄電池の側面を取囲むように配置し、この締結バンド１５を緊張状態にしてその両端を結束することにより、カバー本体１４の側面カバー板部１１及び１２を蓄電池に対して固定する。締結バンド１５としては、包装用に通常に用いられている樹脂製のバンドを用いることができ、該締結バンドの結束は、溶着や接着により行うことができる。
【００３０】
上記のように構成すると、蓄電池Ｂａｔの底面を覆うカバー板部だけでなく、左右の両側面を覆うカバー板部をも省略することができるため、省資源化と、包装された蓄電池の軽量化とを図ることができる。また前後の側面をそれぞれ覆うカバー板部を締結バンド１５で蓄電池に固定するので、包装体を蓄電池に容易に固定することができる。また上面カバー板部の開口部を通して引出された把手部５を手で持つことにより、包装された蓄電池を容易に持運ぶことができる。
【００３１】
上記の説明では、上面カバー板部１３に開口部を形成するための切込み１６を設けて、この切込みの両側の部分を折曲げることにより、把手部５を引出すための開口部を形成するとしたが、上面カバー板部１３に、把手部を引出すための開口部を開口させた状態で設けておくようにしてもよい。
【００３２】
また図４に示したように、蓄電池の前後の側面Ａ3，Ａ4をそれぞれ覆う前後の側面カバー板１１，１２のそれぞれの横方向の両端の締結バンド１５が配置される各部分に、蓄電池の高さ方向に並ぶ一対の切込み１８，１８を形成しておいて、締結バンド１５を締付けた際に各一対の切込み１８，１８の間の部分が締結バンド１５により変形させられて該締結バンドを嵌合させる溝が形成されるようにしてもよい。
【００３３】
上記の実施形態では、カバー本体の上面カバー板部１３に把手部５を引出すための開口部または該開口部を形成するための切込みを設けるようにしたが、図５に示したように、把手５′の両端が蓄電池の長手方向の両端にそれぞれ固定されている場合には、上面カバー板部１３に開口部を設けることなく、上面カバー板部１３の上を越えて把手部５′を配置する。この場合、カバー本体１４は把手部５′と蓄電池の上面との間の隙間を通して取りつける。把手部５′が可撓性を有する材料からなる場合には、把手部と蓄電池の上面との間にカバー本体１４を通すための隙間を容易に形成することができる。また把手部５′が蓄電池の電槽の側面に着脱可能に取りつけられる場合もあるが、その場合には、把手部５′を外すことにより、カバー本体１４の取付けを簡単に行うことができる。
【００３４】
上記の実施形態では、側面カバー板部１１及び１２と上面カバー板部１３との３つのカバー板部からなるカバー本体１４と、締結バンド１５とにより包装体１０を構成したが、図６及び図７に示したように、蓄電池の左右の側面の内の一方（図示の例では右側の側面Ａ2）を覆うカバー板１９を、前後の側面の一方を覆うカバー板部（図示の例ではカバー板部１２）に連結した状態で更に設けて、蓄電池の６つの外面の内の４つの面を覆うように包装体を構成することもできる。
【００３５】
この場合も、締結バンド１５により包装体を蓄電池に固定することができるが、図６に示したように、カバー板部１９の自由端部に帯状の折曲げ部１９ａを形成しておいて、この折曲げ部１９ａを図７に示すように蓄電池の前後の側面の他方を覆うカバー板部（図示の例では側面Ａ3を覆うカバー板部１１）の内側（または外側）に添わせた状態で該カバー板部１１に接着などにより固定するようにしてもよい。従って、本発明において、締結バンドを設けることは必須ではない。
【図面の簡単な説明】
【００３６】
【図１】本発明の実施形態で包装する蓄電池の一例を概略的に示した斜視図である。
【図２】本実施形態で用いるカバー本体を示した斜視図である。
【図３】本実施形態に係わる包装体で蓄電池を包装した状態を示した斜視図である。
【図４】本発明の他の実施形態で用いるカバー本体を示した斜視図である。
【図５】本発明の更に他の実施形態において包装体で蓄電池を包装した状態を示した斜視図である。
【図６】本発明の更に他の実施形態に係わる包装体を示した斜視図である。
【図７】図６の包装体により蓄電池を包装した状態を示した斜視図である。
【符号の説明】
【００３７】
Ｂａｔ  蓄電池
１  電槽
２  蓋体
５  把手部
１０  包装体
１１，１２  前後の側面カバー板部
１３  上面カバー板部
１４  カバー本体
１５  締結バンド
１６  切込み
１７  溝
１８  切込み
１９  蓄電池の長手方向の一方の側面を覆うカバー板
【図１】
2008198550.tif 000003
【図２】
2008198550.tif 000004
【図３】
2008198550.tif 000005
【図４】
2008198550.tif 000006
【図５】
2008198550.tif 000007
【図６】
2008198550.tif 000008
【図７】
2008198550.tif 000009